(57)【要約】【課題】  棚の結合構造を改善することで、棚を迅速に組立てて分解するとともに美観を向上できる冷蔵庫を提供する。【解決手段】  少なくとも一つの貯蔵室３と、貯蔵室３に配置された少なくとも一つの棚１０と、棚１０に設けられた支持部材３０と、前記貯蔵室に結合されて支持部材３０が設置されるフレーム２０と、支持部材３０に付着される補強部材４０とを備えて冷蔵庫を構成する。【選択図】      図１
2005283091.tif 000002
【特許請求の範囲】
【請求項１】
少なくとも一つの貯蔵室と、前記貯蔵室に配置された少なくとも一つの棚と、前記棚に設けられた支持部材と、前記貯蔵室に結合されて前記支持部材が設置されるフレームと、前記支持部材に付着される補強部材とを備えたことを特徴とする冷蔵庫。
【請求項２】
前記支持部材は、第１結合突起および第２結合突起を備えており、前記フレームには、前記第１及び第２結合突起がそれぞれ係合される第１結合ホール及び第２結合ホールが形成されることを特徴とする請求項１記載の冷蔵庫。
【請求項３】
前記補強部材は、前記支持部材の前記第１結合突起および第２結合突起が形成された部分に結合されることを特徴とする請求項２記載の冷蔵庫。
【請求項４】
前記補強部材は、前記第１結合突起および第２結合突起の形状と同一の形状を有することを特徴とする請求項３記載の冷蔵庫。
【請求項５】
前記補強部材は、前記支持部材に熔接により結合されることを特徴とする請求項３記載の冷蔵庫。
【請求項６】
前記第１結合突起は、前記支持部材の上端部に形成され、前記第２結合突起は、前記支持部材の下端部に形成され、前記第１及び第２結合ホールは、前記第１及び第２結合突起の間の長さに対応する間隔に前記フレームに形成されたことを特徴とする請求項２記載の冷蔵庫。
【請求項７】
前記第１結合突起は、前記支持部材から水平方向に延長して前記第１結合ホールを貫通する貫通部と、前記貫通部から下方に延長して前記第１結合ホールに係止される係止部と、から構成され、前記貫通部と係止部との間には、前記フレームの厚さに対応する幅を有する係合溝が形成されることを特徴とする請求項６記載の冷蔵庫。
【請求項８】
前記第１結合ホールは、前記第１結合突起の上下方向の長さよりも大きい長さを有し、前記第１結合突起と前記第１結合ホールとの結合状態で前記第１結合突起の上端と前記第１結合ホールとの間に所定の隙間が形成されることを特徴とする請求項７記載の冷蔵庫。
【請求項９】
前記第２結合突起は、前記支持部材の下端から前記第１結合突起の長さよりも小さい長さで水平方向に突出し、前記第２結合ホールに係合されることを特徴とする請求項６記載の冷蔵庫。
【請求項１０】
前記支持部材は、一対に構成され、前記棚の両側端部から下部に向かって延長配置され、前記フレームは、前記各支持部材に対応して一対に構成され、前記貯蔵室の後壁の両側端部から縦方向に設置されることを特徴とする請求項１記載の冷蔵庫。
【請求項１１】
冷蔵室および冷凍室が設けられたキャビネットと、前記冷蔵室および冷凍室で所定間隔に配置された複数の棚と、前記各棚の両側端部に設けられた一対の支持部材と、前記冷蔵室および冷凍室の後壁の両側端部から縦方向に配置されて前記各支持部材が設置される一対のフレームと、前記各支持部材の支持強度が増大するように前記各支持部材に結合される補強部材とを備えたことを特徴とする冷蔵庫。
【請求項１２】
前記各支持部材は、互いに上下方向に離隔された第１及び第２結合突起を備えており、前記各フレームには、前記第１及び第２結合突起とそれぞれ係合される第１及び第２結合ホールが形成されたことを特徴とする請求項１１記載の冷蔵庫。
【請求項１３】
前記第１結合突起は、前記支持部材の上端部から水平方向に延長して前記第１結合ホールを貫通する貫通部と、前記貫通部から下方に延長して前記第１結合ホールに係止される係止部と、からなり、前記第２結合突起は、前記貫通部の長さよりも小さい長さで前記支持部材の下端部から水平方向に延長し、前記第２結合ホールに係合されることを特徴とする請求項１２記載の冷蔵庫。
【請求項１４】
前記第１結合ホールの上下長さは、前記第１結合突起の上下長さよりも大きく形成され、前記第１結合突起が前記第１結合ホールに容易に係脱されることを特徴とする請求項１３記載の冷蔵庫。
【請求項１５】
前記補強部材は、前記支持部材の前記第１結合突起および第２結合突起に結合され、前記第１及び第２結合突起の支持強度を増大することを特徴とする請求項１３記載の冷蔵庫。
【請求項１６】
少なくとも一つの貯蔵室と、この貯蔵室内に配置された少なくとも一つの棚とを含む冷蔵庫であって、
支持強度を有して棚を支持する支持部材と、前記貯蔵室に固定され、前記支持部材により支持された棚の一側縁部が残りの縁部よりもフレームに隣接するように前記支持部材が付着されるフレームと、前記支持部材の支持強度を増大するように支持部材に付着される補強部材とを備えることを特徴とする冷蔵庫。
【請求項１７】
前記支持部材は、一対に構成されて前記棚の側面に結合されたことを特徴とする請求項１６記載の冷蔵庫。
【請求項１８】
前記支持部材は、前記棚を基準に、前記フレームに隣接する前記棚の縁部に近接するほど高さが増加するテーパー構造を有することを特徴とする請求項１７記載の冷蔵庫。
【請求項１９】
前記支持部材は、前記棚を基準に、一定の高さを有することを特徴とする請求項１７記載の冷蔵庫。
【請求項２０】
前記支持部材は、前記フレームに向かってそれぞれ突出するように、前記フレームに隣接する前記棚の縁部に一体に形成された第１および第２結合突起を含むことを特徴とする請求項１７記載の冷蔵庫。
【請求項２１】
前記フレームに形成され、第１および第２突起が挿入固定される第１および第２結合ホールをさらに備え、前記第１結合ホールは、下縁部を含むことを特徴とする請求項２０記載の冷蔵庫。
【請求項２２】
前記各結合突起は、各支持部材から水平に延長して第１結合ホールを貫通して延長される貫通部と、
前記貫通部から下向きに延長する係止部と、
前記貫通部、係止部および支持部材により設けられる空間に形成され、第１結合ホールの下縁部が挿入される係合溝とを備えることを特徴とする請求項２１記載の冷蔵庫。
【請求項２３】
前記係合溝は、下向きに開放され、第１結合ホールの下縁部の厚さに対応する幅を有することを特徴とする請求項２２記載の冷蔵庫。
【請求項２４】
前記第１結合ホールは、貫通部の上縁部から係止部の下縁部までの垂直長さよりやや長い垂直長さを有することを特徴とする請求項２３記載の冷蔵庫。
【請求項２５】
前記各第２結合突起は、フレームに隣接する支持部材の縁部の下端部に形成されて第１突起と分離されることを特徴とする請求項２１記載の冷蔵庫。
【請求項２６】
前記各第２結合突起は、第１結合突起が第１結合ホールに結合されるとき、水平部材を第２結合ホールに貫通して延長するのに充分な水平長さを有する水平部材を含むことを特徴とする請求項２５記載の冷蔵庫。
【請求項２７】
第２結合突起が貫通する第２結合ホールの垂直長さは、第２結合突起の長さよりやや長いことを特徴とする請求項２６記載の冷蔵庫。
【請求項２８】
第１および第２結合突起は、第１および第２結合溝と協力する形状を有し、各補強部材は、第１および第２結合突起と類似した形状を有することを特徴とする請求項２１記載の冷蔵庫。
【請求項２９】
前記補強部材は、第１および第２突起にスポット溶接されることを特徴とする請求項２８記載の冷蔵庫。
【請求項３０】
第１突起、第２突起および補強部材の断面積は、支持部材の残り部分の断面積よりも大きいことを特徴とする請求項２９記載の冷蔵庫。
【請求項３１】
第１および第２結合突起は、第１および第２結合ホールと協力する形状を有し、各補強部材は、第１および第２突起にねじ結合されることを特徴とする請求項２１記載の冷蔵庫。
【発明の詳細な説明】
【技術分野】
【０００１】
本発明は、冷蔵庫に関するもので、詳しくは、冷凍室および冷蔵室に設置される棚の結合構造を改善することで、棚を迅速に組立てて分解するとともに美観を向上できる冷蔵庫に関するものである。
【背景技術】
【０００２】
冷蔵庫は、蒸発器から生成された冷気を冷凍室および冷蔵室に供給し、各種食品の新鮮度を長期間維持するための装置であって、冷凍室には、結氷温度以下で維持すべき肉類などを貯蔵し、冷蔵室には、結氷温度よりもやや高い温度で新鮮に維持すべき野菜および果物などを貯蔵する。
【０００３】
中間隔壁により互いに区画される冷蔵室および冷凍室には、可能な限り多くの食品を簡便に受納するために、複数個の棚が水平に配置される。また、これら棚を冷蔵室および冷凍室に組立てるために、棚の両側には、ブラケットが結合されており、貯蔵室の後壁の両側には、前記各ブラケットを係合固定するフレームが設置される。
【０００４】
したがって、棚の両側に結合された各ブラケットが貯蔵室の後壁に設置された各フレームに結合されて棚を支持することで、棚上に食品を載置して保管するようになるが、このような棚上に食品を載置するためには、ブラケットの強度、特にブラケットとフレームとの結合部の強度を所定大きさ以上にすべきである。
【０００５】
しかしながら、従来の冷蔵庫は、ブラケットの強度を所定大きさ以上にするために、フレームに結合されるブラケットの上下幅、すなわち高さの大きい構造を有することで、全体的にブラケットの大きさが不回避に大きくなるため、分解及び組立作業が煩雑になり、棚の組立時間が増大するだけでなく、組立後には大きいブラケットにより美観を害するという問題点があった。
【発明の開示】
【発明が解決しようとする課題】
【０００６】
本発明は、このような従来の問題点を解決するためになされたもので、棚の結合構造を改善することで、棚を迅速に組立てて分解するとともに美観を向上できる冷蔵庫を提供することを目的とする。
【課題を解決するための手段】
【０００７】
前記目的を達成するために、本発明による冷蔵庫は、少なくとも一つの貯蔵室と、前記貯蔵室に配置された少なくとも一つの棚と、前記棚に設けられた支持部材と、前記貯蔵室に結合されて前記支持部材が設置されるフレームと、前記支持部材に付着される補強部材と、を備えたことを特徴とする。
【０００８】
また、前記支持部材は、第１結合突起および第２結合突起を備えており、前記フレームには、それぞれ前記第１及び第２結合突起が係合される第１結合ホールおよび第２結合ホールが形成される。
【０００９】
好ましくは、前記補強部材は、前記支持部材の前記第１結合突起および第２結合突起が形成された部分に結合される。また、好ましくは、前記補強部材は、前記第１結合突起および第２結合突起の形状と同一の形状を有する。更に好ましくは、前記補強部材は、前記支持部材に熔接により結合される。
【００１０】
前記第１結合突起は、前記支持部材の上端部に形成され、前記第２結合突起は、前記支持部材の下端部に形成され、前記第１及び第２結合ホールは、前記第１及び第２結合突起の間の長さに対応する間隔に前記フレームに形成される。
【００１１】
前記第１結合突起は、前記支持部材から水平方向に延長して前記第１結合ホールを貫通する貫通部と、前記貫通部から下方に延長して前記第１結合ホールに係止される係止部と、から構成され、前記貫通部と係止部との間には、前記フレームの厚さに対応する幅を有する係合溝が形成される。
【００１２】
前記第１結合ホールは、前記第１結合突起の上下方向の長さよりも大きい長さを有し、前記第１結合突起と前記第１結合ホールとの結合状態で前記第１結合突起の上端と前記第１結合ホールとの間に所定の隙間が形成される。
【００１３】
前記第２結合突起は、前記支持部材の下端から前記第１結合突起の長さよりも小さい長さで水平方向に突出し、前記第２結合ホールに係合される。
【００１４】
前記支持部材は、一対に構成され、前記棚の両側端部から下部に向かって延長配置され、前記フレームは、前記各支持部材に対応して一対に構成され、前記貯蔵室の後壁の両側端部から縦方向に設置される。
【発明の効果】
【００１５】
本発明による冷蔵庫は、棚をフレームに結合して支持する支持部材と補強部材とを結合した構造を有するため、支持部材の上下長さを減少することで、棚の結合および分離が容易に行われるとともに、美観が向上できるという効果がある。
【発明を実施するための最良の形態】
【００１６】
以下、本発明の実施の形態に対し、図面に基づいて説明する。
【００１７】
図１は、本発明による冷蔵庫を示した図である。図示したように、本発明による冷蔵庫は、前面が開放されたボックス状に形成されて外観をなすキャビネット１と、このキャビネット１の内部に縦方向に配置される中間隔壁２により左右側にそれぞれ設けられた冷凍室(図示せず)および冷蔵室３と、これら冷凍室および冷蔵室３を開閉するために冷凍室および冷蔵室３の前面にそれぞれヒンジ結合される冷蔵室ドア４および冷凍室ドア５と、を備えており、キャビネット１の内部空間が左右に区画される構造をなす。もちろん、中間隔壁２をキャビネット１の内部に横方向に配置すると、キャビネット１の内部空間が上下に区画されることで、上下部に冷凍室および冷蔵室３がそれぞれ配置される構造になる。
【００１８】
冷凍室および冷蔵室３(以下、“貯蔵室”と称する)には、多くの食品を貯蔵して食品を簡便に受納するために複数の棚１０が上下に配置される。各棚１０は、貯蔵室３の後壁の両側端部に縦方向に設置された一対のフレーム２０に結合支持されるが、以下、図２乃至図４に基づいて、各棚１０がフレーム２０に組み立てられる構造を説明する。
【００１９】
図２は、図１に示した棚が冷蔵庫の後壁に設置されたフレームに結合される構造を示した分解斜視図であり、図３は、図２に示した棚の部分分解斜視図であり、図４は、図２に示した棚の部分結合斜視図である。
【００２０】
図２に示すように、食品を載置して保管する棚１０がフレーム２０に結合支持されるように、棚１０の両側端部には、一対の支持部材３０が設置される。
【００２１】
各支持部材３０は、棚１０の両側端部から下方に延長配置され、棚１０の後端部から先端部に沿って上下長さが減少する形状を有する。もちろん、各支持部材３０は、全体的に同一な垂直方向の長さに形成することもでき、このような支持部材３０は、棚１０と一体に成形するか、または別途の部材により製作して棚１０に結合することもできる。
【００２２】
支持部材３０をフレーム２０に結合するために、支持部材３０の後端には、第１結合突起３１および第２結合突起３５が支持部材３０と一体に形成されてフレーム２０に向かって突出され、フレーム２０には、第１結合突起３１と第２結合突起３５とが係合固定される第１結合ホール２１および第２結合ホール２２が形成される。
【００２３】
また、第１結合突起３１および第２結合突起３５が形成された各支持部材３０の内側には、支持部材３０の強度、すなわち、フレーム２０に結合される第１及び第２結合突起３１,３５の支持強度を補強するための補強部材４０が結合される。
【００２４】
図３および図４に示すように、第１及び第２結合突起３１,３５は、各フレーム２０の第１及び第２結合ホール２１,２２に係合されるように支持部材２０の後端部から所定長さに一体に延長形成される。
【００２５】
支持部材３０の上端部に形成された第１結合突起３１は、支持部材３０から水平方向に延長された貫通部３２と、この貫通部３２から下方に延長された係止部３３と、を備える。また、貫通部３２と係止部３３との間には、第１及び第２結合ホール２１,２２が形成されたフレーム２０の厚さに対応する幅を有して下方に開口された係合溝３４が形成される。
【００２６】
前記のように貫通部３２および係止部３３からなる第１結合突起３１がフレーム２０の第１結合ホール２１に簡便に係合または分離されるように、第１結合ホール２１の上下長さは、貫通部３２の上端から係止部３３の下端に至る第１結合突起３１の上下長さよりもやや大きく形成される。
【００２７】
第１結合突起３１と所定長さ離隔された状態で支持部材３０の下端部に形成された第２結合突起３５は、第１結合突起３１の長さよりもやや小さい長さで水平方向に突出されている。また、第２結合突起３５と係合される第２結合ホール２２の上下長さは、第２結合突起３５の上下長さよりもやや大きいため、結合突起３５が第１結合突起３１と共にやや上向きに移動される。
【００２８】
補強部材４０は、前記のように支持部材３０の後端に一体に形成された第１及び第２結合突起３１,３５と同一の形状で形成され、スポット熔接(spot  welding)により第１及び第２結合突起３１,３５に結合される。もちろん、補強部材４０を第１及び第２結合突起３１,３５と異なる形状で形成することもでき、ねじ結合やその他の方式で支持部材３０に結合することもできる。
【００２９】
前記のように第１及び第２結合突起３１,３５に補強部材４０を付着することで、第１及び第２結合突起３１,３５は、支持部材３０の他の部分よりも厚くなって強度が補強される。
【００３０】
このような補強部材４０により、第１及び第２結合突起３１,３５が形成された支持部材３０の後端部の上下長さを小さく形成することで、支持部材３０の全体的な大きさを減少し、貯蔵室３に棚１０を結合または分離する作業が簡便になるとともに、美観を害しないようになる。
【００３１】
前記のように補強部材４０が第１及び第２結合突起３１,３５に結合されることで、フレーム２０の第１及び第２結合ホール２１,２２の左右幅は、補強部材４０の厚さと第１及び第２結合突起３１,３５の厚さとを合せた大きさに対応する大きさになる。
【００３２】
以下、前記のように補強部材４０が結合された支持部材３０とフレーム１０とを結合し、棚１０を貯蔵室３に組み立てるか分解する過程を説明する。
【００３３】
まず、棚１０の先端部を上向きに傾斜した状態で、第１及び第２結合突起３１,３５を第１及び第２結合ホール２１,２２にそれぞれ係合して第１結合突起３１の係止部３３が第１結合ホール２１を通過するようにした後、棚１０の後端部を下方に押すと、第１結合突起３１に形成された係合溝３４が第１結合ホール２１の下端に係合されることで、支持部材３０がフレーム２０に固定され、このような状態で棚１０に食品を載置して保管するようになる。
【００３４】
また、前記のように第１及び第２結合突起３１,３５が第１及び第２結合ホール２１,２２にそれぞれ係合され、支持部材３０がフレーム２０に固定された状態で棚１０の先端部を上向きに持ち上げると、第１及び第２結合突起３１,３５が第１及び第２結合ホール２１,２２の内部でやや上向きに移動することで、係合溝３４が第１結合ホール２１の下端から分離されるようになり、引き続いて、棚１０の先端部を上向きに持ち上げた状態で棚１０を前方に引くと、第１及び第２結合突起３１,３５が第１及び第２結合ホール２１,２２からそれぞれ抜け出されて、棚１０がフレーム２０から分離されるようになる。
【図面の簡単な説明】
【００３５】
【図１】本発明による冷蔵庫の斜視図である。
【図２】図１に示した棚が冷蔵庫の後壁に設置されたフレームに結合される構造を示した分解斜視図である。
【図３】図２に示した棚の部分分解斜視図である。
【図４】図２に示した棚の部分結合斜視図である。
【符号の説明】
【００３６】
１    キャビネット
２    中間隔壁
３    冷蔵室
４    冷蔵室ドア
５    冷凍室ドア
１０  棚
２０  フレーム
【図１】
2005283091.tif 000003
【図２】
2005283091.tif 000004
【図３】
2005283091.tif 000005
【図４】
2005283091.tif 000006